(57)【要約】【課題】１３．５６ＭＨｚのＩＣタグを複数読み取りさせないようにしたＩＣタグ及びＩＣタグを装着した物品の輸送用ダンボール箱や封筒を提供すること。【解決手段】ＩＣタグまたはＩＣタグを装着した物品（２）を収納するダンボール箱（１）であって、ダンボール箱を構成するライナー（１１）または／および中芯（１２）にアルミニウム層（１３）が設けられている。ダンボール箱の表側のライナーの外側にＩＣタグ（３）が貼り付けられている。アルミニウム層（１３）は外層に設けられ、表面に微細エンボス（１４）が設けられている。アルミニウム層（１３）の外側に透明インキ層または／および透明ニス層（１５）を設けてもよい。【選択図】図２
2007062793.tif 000002
【特許請求の範囲】
【請求項１】
ＩＣタグまたはＩＣタグを装着した物品を収納するダンボール箱であって、
前記ダンボール箱を構成するライナーまたは／および中芯にアルミニウム層が設けられていることを特徴とする、ダンボール箱。
【請求項２】
前記ダンボール箱を形成する表側のライナーの外側にＩＣタグが貼り付けられていることを特徴とする、請求項１記載のダンボール箱。
【請求項３】
前記アルミニウム層は外層に設けられ、アルミニウム層の表面に微細エンボスが設けられていることを特徴とする、請求項１又は２記載のダンボール箱。
【請求項４】
前記アルミニウム層の外側に透明インキ層または／および透明ニス層が設けられていることを特徴とする、請求項１、２又は３記載のダンボール箱。
【請求項５】
ＩＣタグまたはＩＣタグを装着した物品を収納する紙封筒であって、
前記紙封筒を構成する層構成にアルミニウム層が設けられていることを特徴とする、紙封筒。
【請求項６】
請求項５記載の紙封筒のアルミニウム層を設けた紙の外側にＩＣタグが貼り付けられていることを特徴とする、紙封筒。
【請求項７】
前記アルミニウム層は外層に設けられ、アルミニウム層の表面に微細エンボスが設けられていることを特徴とする、請求項５又は６記載の紙封筒。
【請求項８】
前記アルミニウム層の外側に透明インキ層または／および透明ニス層が設けられていることを特徴とする、請求項５、６又は７記載の紙封筒。
【発明の詳細な説明】
【技術分野】
【０００１】
本発明は、ＩＣタグやＩＣタグを装着した物品（例えば、社員証、銀行等のカードなど）を輸送するためのダンボール箱および紙封筒に関し、特には、金属の影響を受けやすい１３．５６ＭＨｚのＩＣタグを複数読み取りさせないようにしたＩＣタグやＩＣタグを装着した物品の輸送用のダンボール箱および紙封筒に関する。
【背景技術】
【０００２】
従来、ダンボール箱等の包装体に使用されている物流用バーコード（ＩＴＦ）は情報量が少なく、内容品名と入り数など２，３項目程度しか表示できない。
【０００３】
また、ダンボール印刷では、例えば、代表的なフレキソ印刷の場合、１００μｍ程度の厚さの凹凸のあるダンボールシートの上に、ゴム凸版で印圧をかけて印刷するため、バーの太り量は印圧に大きく左右される。ところがダンボールシートは段頂と段間で印圧の差異が発生し、バー毎に、さらには１本のバーでも左右のエッジで太り量が異なる場合がある。このため、大きなバーコードしか入れられず、印刷面積を縮小することは難しい。このように、バー幅の要求精度からバーコードを縮小して印刷することが難しいため、バーコードが印刷面積を相当量占めることになり、ダンボールへの企業商品表現の印刷が制限されてしまう。
【０００４】
さらに、埃や汚れなどによって読み取り不良が生じる点や、バーコードは桁数の問題から情報量が少なく、また情報の追加・変更ができない、セキュリティ性がないといった問題があり、これらの改善が望まれていた。
【０００５】
一方、多量あるいは個別の情報を記録可能な手段として、書き込みが可能なメモリを備えたＩＣチップがある。近年、ＩＣチップは高性能化、小型化、低価格化が進んでおり、各種の情報を記録したＩＣチップを包装体に取り付けることが行われるようになってきている。このＩＣチップの包装体への取り付けは、プラスチックフィルム・シートや金属箔、紙、これらの積層体などからなる基材にＩＣチップを装着したＩＣタグと呼ばれるラベル状のタグの裏面に粘着剤あるいは接着剤を施し、この粘着剤または接着剤を利用してＩＣタグを包装体等の物品に取り付けることが一般的である。
【発明の開示】
【発明が解決しようとする課題】
【０００６】
しかしながら、このような方法で物品、例えば、ダンボール箱等の包装体に取り付けられたＩＣタグやＩＣタグを装着した、例えば、社員証などの物品をＩＣタグを装着したダンボール箱に収納して輸送等する場合、このダンボール箱にリーダーライタ等で情報の読み取りを行うと、収納物である社員証などの情報まで読み取ってしまい、輸送用ダンボール箱の情報なのか、収納物である社員証などの情報なのか、わからなくなってしまうということがあった。
【０００７】
さらに、ＩＣチップをラベル等のＩＣタグに加工する工程を経なければならないという問題もあった。
【０００８】
本発明は、ＩＣタグやＩＣタグを装着した物品（例えば、社員証など）を輸送するためのダンボール箱や紙封筒に関する以上のような問題に鑑みてなされたもので、１３．５６ＭＨｚのＩＣタグが金属に弱い、すなわち、金属に貼り付けるとリーダーライタで読み取りができない点に注目して、１３．５６ＭＨｚのＩＣタグを複数読み取りさせないように
したＩＣタグ及びＩＣタグを装着した物品の輸送用のダンボール箱や封筒を提供することを課題とする。
【課題を解決するための手段】
【０００９】
本発明の請求項１の発明は、ＩＣタグまたはＩＣタグを装着した物品を収納するダンボール箱であって、前記ダンボール箱を構成するライナーまたは／および中芯にアルミニウム層が設けられていることを特徴とする、ダンボール箱である。
【００１０】
このように請求項１記載の発明によれば、ＩＣタグまたはＩＣタグを装着した物品を収納するダンボール箱であって、ダンボール箱を構成するライナーまたは／および中芯にアルミニウム層が設けられているので、例えば、個人情報が入ったＩＣタグまたはＩＣタグを装着したカードなどの物品を輸送する際に、本発明のダンボール箱を使用すると、外からリーダーライタをあてても、アルミニウム層に反射されて個人情報が入ったＩＣタグ等の情報を読み取ることはできない。
【００１１】
なお、ダンボール箱の代わりに厚紙などを使用した紙箱に置き換えても良い。
【００１２】
また、アルミニウム層は、アルミニウム箔、例えば、二軸延伸ポリエチレンテレフタレートフィルム上に酸化アルミニウムの薄膜を物理蒸着あるいは化学蒸着などの蒸着法により２０〜１００ｎｍ程度の厚さに設けたアルミニウム蒸着フィルム、酸化アルミニウム等の蒸着薄膜を紙等の素材に転写した転写蒸着アルミニウム薄膜など、いずれの形式であっても構わない。
【００１３】
また、請求項２の発明は、請求項１の発明において、前記ダンボール箱を形成する表側のライナーの外側にＩＣタグが貼り付けられていることを特徴とする、ダンボール箱である。
【００１４】
このように請求項２記載の発明によれば、ダンボール箱を形成する表側のライナーの外側にＩＣタグが貼り付けられているので、例えば、ＩＣタグの納品等ＩＣタグを大量に輸送する際はロール状またはシート状でダンボール箱に収納して行う。この輸送箱にも管理用のＩＣタグが貼ってあった場合に読み取り動作を行うと、大量に読み取ってしまい輸送箱のＩＣタグなのか、中身のＩＣタグなのかわからなくなってしまうが、本発明のダンボール箱を使用することにより、中身のＩＣタグはアルミニウム層により読み取れないので、輸送箱のＩＣタグの情報のみを読み取り、輸送箱のＩＣタグなのか、中身のＩＣタグなのかわからなくなるようなことは起こらない。
【００１５】
また、請求項３の発明は、請求項１又は２の発明のおいて、前記アルミニウム層は外層に設けられ、アルミニウム層の表面に微細エンボスが設けられていることを特徴とする、ダンボール箱である。微細エンボスとしては、蒸着プラスチックフィルムなどの上にエンボス（型押し）加工により形成するホログラムエンボス、ヘアーラインなどがある。
【００１６】
このように請求項３記載の発明によれば、アルミニウム層は外層に設けられ、アルミニウム層の表面にホログラムエンボス、ヘアーラインなどによる微細エンボスが設けられているので、綺麗な仕上がりになるし、偽造を防止するためにもなる。
【００１７】
また、請求項４の発明は、請求項１、２又は３の発明において、前記アルミニウム層の外側に透明インキ層または／および透明ニス層が設けられていることを特徴とする、ダンボール箱である。
【００１８】
このように請求項４記載の発明によれば、アルミニウム層の外側に透明インキ層または
／および透明ニス層が設けられているので、薄膜のアルミニウム層でも保護されて剥げることがなく、リーダーライタからの電波を反射して中身のＩＣタを読み取ることができない。
【００１９】
また、請求項５の発明は、ＩＣタグまたはＩＣタグを装着した物品を収納する紙封筒であって、前記紙封筒を構成する層構成にアルミニウム層が設けられていることを特徴とする、紙封筒である。
【００２０】
このように請求項５記載の発明によれば、ＩＣタグまたはＩＣタグを装着した物品を収納する紙封筒であって、前記紙封筒を構成する層構成にアルミニウム層が設けられているので、例えば、個人情報が入ったＩＣタグまたはＩＣタグを装着したカードなどの物品を輸送する際に、本発明の紙封筒を使用すると、外からリーダーライタをあてても、アルミニウム層に反射されて個人情報が入ったＩＣタグ等の情報を読み取られることはない。
【００２１】
また、請求項６の発明は、請求項５記載の発明のおいて、前記紙封筒のアルミニウム層を設けた紙の外側にＩＣタグが貼り付けられていることを特徴とする、紙封筒である。
【００２２】
このように請求項６記載の発明によれば、紙封筒のアルミニウム層を設けた紙の外側にＩＣタグが貼り付けられているので、リーダーライタ等で読み取る際は、封筒の中に収納されている物品の情報は読みとられず、紙封筒の表面に取り付けられたＩＣタグの情報のみを読み取ることができる。
【００２３】
また、請求項７の発明は、請求項５又は６記載の発明のおいて、前記アルミニウム層は外層に設けられ、アルミニウム層の表面に微細エンボスが設けられていることを特徴とする、紙封筒である。
【００２４】
このように請求項７記載の発明によれば、アルミニウム層は外層に設けられ、アルミニウム層の表面にホログラムエンボス、ヘアーライン等の微細エンボスが設けられているので、綺麗に見えるし偽造防止の効果がある。
【００２５】
また、請求項８の発明は、請求項５、６又は７記載の発明のおいて、前記アルミニウム層の外側に透明インキ層または／および透明ニス層が設けられていることを特徴とする、紙封筒である。
【００２６】
このように請求項８記載の発明によれば、アルミニウム層の外側に透明インキ層または／および透明ニス層が設けられているので、薄膜のアルミニウム層でも保護されて剥げることがなく、リーダーライタからの電波を反射して中身のＩＣタグを読み取ることができない。
【発明の効果】
【００２７】
このように本発明のダンボール箱および紙封筒は、ダンボール箱や紙封筒にアルミニウム層が設けられていることにより、外からリーダライタをあててもダンボール箱や紙封筒に収納されているＩＣタグやＩＣチップを装着した、例えば、社員証等の物品の情報まで読み取ることはできない。
【００２８】
さらに、事前に情報を書き込んだＩＣチップを準備する（ＩＣチップへの情報の書き込みが事前にできる）ので作業効率が良い。  
という効果がある。
【発明を実施するための最良の形態】
【００２９】
本発明を一実施形態に基づいて以下に詳細に説明する。
本発明のダンボール箱は、例えば、図１、図２に示すように、ダンボール箱（１）を構成するライナー（１１）または／および中芯（１２）にアルミニウム層（１３）が設けられているものである。そして、ダンボール箱（１）には、ＩＣタグまたはＩＣタグを装着した物品（２）が収納される。
【００３０】
アルミニウム層（１３）は、アルミニウム箔、例えば、二軸延伸ポリエチレンテレフタレートフィルム上に酸化アルミニウムの薄膜を物理蒸着あるいは化学蒸着などの蒸着法により２０〜１００ｎｍ程度の厚さに設けたアルミニウム蒸着プラスチックフィルム、酸化アルミニウム等の蒸着薄膜を紙等の素材に転写した転写蒸着アルミニウム薄膜など、いずれの方法で得られた層であっても構わない。
【００３１】
アルミニウム層（１３）は、箱の内側または外側を全体的に覆っていることが必要で、溝切り形、テレスコープ形、組立形、差し込み形、ブリス形、のり付け簡易組立形などダンボール箱の形式は問わない。ただ、できるだけ密封性のある（隙間の無い）箱形式の方が電波の遮断性は高くなる。
【００３２】
また、ダンボール箱のアルミニウム層を設けたライナー（表側のライナー）の外側には、ＩＣタグ（３）が貼り付けられている。
【００３３】
また、アルミニウム層（１３）は外層に設けられ、アルミニウム層の表面にホログラムエンボス、ヘアーライン等による微細エンボス（１４）が設けられている。
【００３４】
さらに、前記アルミニウム層（１３）の外側に透明インキ層または／および透明ニス層（１５）を設けても良い。
【００３５】
ダンボール箱と同様に紙封筒にも紙封筒を構成している紙（２１）の表面にアルミニウム層（２２）を設けることによりダンボール箱と同様の作用・効果を得ることができる（図３参照）。
【図面の簡単な説明】
【００３６】
【図１】本発明のダンボール箱の一実施例を示す、斜視説明図である。
【図２】本発明のダンボール箱を構成するダンボールシートの一実施例を示す、（ａ）は断面説明図であり、（ｂ）は（ａ）のＡ部を拡大した断面説明図である。
【図３】本発明の紙封筒の一実施例を示す、（ａ）は平面説明図であり、（ｂ）は（ａ）のＡ部を拡大した断面説明図である。
【符号の説明】
【００３７】
１‥‥ダンボール箱
２‥‥ＩＣタグまたはＩＣタグを装着した物品
３‥‥ＩＣタグ
５‥‥紙封筒
１０‥‥ダンボールシート
１１‥‥ライナー
１２‥‥中芯
１３‥‥アルミニウム層
１４‥‥微細エンボス
１５‥‥透明インキ層、透明ニス層
２１‥‥紙
２２‥‥アルミニウム層
【図１】
2007062793.tif 000003
【図２】
2007062793.tif 000004
【図３】
2007062793.tif 000005